(57)【要約】【課題】設置物を壁面に設置する場合、壁面に固定具を設置し、固定具に設置物を固定する方法がある。固定具の設置位置の決定は、設置物の外形と同等の大きさのシートに固定具を嵌め込む方法が知られているが、設置物が大きい場合コストがかかっていた。また設置物を用いずに固定具の位置を決定するため、シートを壁面に当てた時にユーザーが抱いていた感覚と、実際に設置物を取り付けた後の感覚とが異なり、違和感を生じる場合があった。本発明は低コストで容易に取り付けることができ、また取り付け後に違和感が生じることが少ない固定装置、及びシートを提供するものである。【解決手段】設置物の固定具結合部１１に、強粘着面２３と弱粘着面２４とを有するシート１４の弱粘着面側２４を貼着し、設置物を壁面に押圧することにより、シート１４の強粘着面２３を壁面に貼着させ、シート１４の第１マーカーを基準に固定具２５を壁面に設置する。【選択図】図３
2018119615.tif 000002
【特許請求の範囲】
【請求項１】
表面に第１粘着面、前記表面に対する裏面に第２粘着面を有するシートと、
設置物に具備された固定具結合部と、
を有する固定装置であって、
前記第１粘着面の粘着力は、前記第２粘着面の粘着力よりも強く、
前記固定具結合部は、壁面に設置される固定具に結合可能であり、
前記シートは前記壁面に前記固定具を配置する位置に関する第１マーカーを有し、
前記固定具結合部に前記シートの前記第２粘着面を貼着した前記設置物を、前記第１粘着面と前記壁面とが対向するように前記壁面に押圧した際、前記シートは前記第１粘着面が前記壁面に貼着可能な厚さを有することを特徴とする固定装置。
【請求項２】
前記押圧の後、前記設置物を前記壁面から係脱する際、前記シートは、前記第２粘着面は前記設置物から剥離し、前記第１粘着面は前記壁面に貼着した状態となる粘着力であることを特徴とする請求項１記載の固定装置。
【請求項３】
前記第１マーカーは前記シートに形成された孔であることを特徴とする請求項１から２いずれかに記載の固定装置。
【請求項４】
前記シートには、前記シートを前記設置物に貼着する位置に関する第２マーカーを有することを特徴とする請求項１から３いずれかに記載の固定装置。
【請求項５】
前記固定具結合部に、前記シートを貼着する位置に関する第３マーカーを有することを特徴とする請求項１から４いずれかに記載の固定装置。
【請求項６】
前記シートは、前記第1粘着面を有する第１のシートと、前記第２粘着面を有する第２のシートとを、前記第１粘着面と前記第２粘着面とが前記シートの表面となる様に貼りあわせてなることを特徴とする請求項１から５いずれかに記載の固定装置。
【請求項７】
壁面に設置される固定具に結合可能な固定具結合部を有する設置物を、前記壁面に設置する際に用いるシートであって、
表面に第１粘着面、前記表面に対する裏面に第２粘着面と、
前記壁面に前記固定具を設置する位置に関する第１マーカーと、
を有し、
前記第１粘着面の粘着力は、前記第２粘着面の粘着力よりも強く、
前記固定具結合部に前記シートの前記第２粘着面を貼着した前記設置物を、前記第１粘着面と前記壁面とが対向するように前記壁面に押圧した際、前記第１粘着面が前記壁面に貼着可能な厚さを有することを特徴とするシート。
【発明の詳細な説明】
【技術分野】
【０００１】
本発明は、壁面に設置物を設置する固定装置、及びシートに関する。
【背景技術】
【０００２】
電話機等の設置物を、壁面に設置する場合、壁面に固定具を設置し、固定具に設置物を固定する方法が知られている。壁面に固定具を設置するには、その設置位置を決める必要があるが、多くの場合はユーザーが感覚的に位置を決める方法や、設置物の外形寸法を測り、その寸法に基づいて壁面に印をつける方法が用いられる。
【０００３】
しかし、このような方法では、実際に電話機等の設置物を壁面に設置してみると、所望の位置からずれていたり、傾いて取り付けられてしまったりする場合がある。そのため、固定具の設置のやり直しを行い、壁面に不要な傷をつけてしまうことがあった。
【０００４】
この問題を解決するために、特許文献１では、固定具を、嵌め込み可能な取付孔を有するシートに嵌め込み、シートを壁面に当て、固定具の取り付け位置を決定していた。シートは取り付ける設置物と同等の外形を有しているため、所望の位置に固定具を取り付けることができる。
【先行技術文献】
【特許文献】
【０００５】
【特許文献１】特開２００７−１２７１８３号公報
【発明の概要】
【発明が解決しようとする課題】
【０００６】
しかしながら、上述の背景技術では、シートは設置物と同等の外形を有していることが必要なため、特に大きな設置物、例えば壁面スピーカーなどの場合は、大きなシートが必要となり、コストがかかるという欠点があった。また、シートは設置物よりも厚さが薄いことが多いため、厚みのある設置物を壁面に取り付ける場合、シートを壁面に当てた時にユーザーが抱いていた感覚と、実際に設置物を取り付けた後の感覚とが異なり、違和感を生じる場合があった。
【０００７】
本発明は、上記課題に鑑みてなされたものであり、低コストで、かつ壁面の所望の位置に設置物を容易に取り付けることができ、また取り付け後にユーザーにとって違和感が生じることが少ない固定装置、及びシートを提供するものである。
【課題を解決するための手段】
【０００８】
本発明の固定装置は、表面に第１粘着面、前記表面に対する裏面に第２粘着面を有するシートと、設置物に具備された固定具結合部と、を有する固定装置であって、前記第１粘着面の粘着力は、前記第２粘着面の粘着力よりも強く、前記固定具結合部は、壁面に設置される固定具に結合可能であり、前記シートは前記壁面に前記固定具を配置する位置に関する第１マーカーを有し、前記固定具結合部に前記シートの前記第２粘着面を貼着した前記設置物を、前記第１粘着面と前記壁面とが対向するように前記壁面に押圧した際、前記シートは前記第１粘着面が前記壁面に貼着可能な厚さを有することを特徴とする。
【０００９】
上記固定装置において、前記押圧の後、前記設置物を前記壁面から係脱する際、前記シートは、前記第２粘着面は前記設置物から剥離し、前記第１粘着面は前記壁面に貼着した状態となる粘着力であることを特徴とする。
【００１０】
上記固定装置において、前記第１マーカーは前記シートに形成された孔であることを特徴とする。
【００１１】
上記固定装置において、前記シートには、前記シートを前記設置物に貼着する位置に関する第２マーカーを有することを特徴とする。
【００１２】
上記固定装置において、前記固定具結合部に、前記シートを貼着する位置に関する第３マーカーを有することを特徴とする。
【００１３】
上記固定装置において、前記シートは、前記第1粘着面を有する第１のシートと、前記第２粘着面を有する第２のシートとを、前記第１粘着面と前記第２粘着面とが前記シートの表面となる様に貼りあわせてなることを特徴とする。
【００１４】
本発明のシートは、壁面に設置される固定具に結合可能な固定具結合部を有する設置物を、前記壁面に設置する際に用いるシートであって、表面に第１粘着面、前記表面に対する裏面に第２粘着面と、前記壁面に前記固定具を設置する位置に関する第１マーカーと、
を有し、前記第１粘着面の粘着力は、前記第２粘着面の粘着力よりも強く、前記固定具結合部に前記シートの前記第２粘着面を貼着した前記設置物を、前記第１粘着面と前記壁面とが対向するように前記壁面に押圧した際、前記第１粘着面が前記壁面に貼着可能な厚さを有することを特徴とする。
【発明の効果】
【００１５】
本発明によれば、壁面に設置する電話機等の設置物を、容易にかつ低コストで、ユーザーの所望の位置に固定することができ、また設置後にユーザーにとって違和感が生じることが少ない固定装置、及びシートを提供することができる。
【図面の簡単な説明】
【００１６】
【図１】本発明の第１の実施形態に係る電話機の外観を示す図である。
【図２】本発明の第１の実施形態に係る電話機の外観を示す図である。
【図３】本発明の第１の実施形態に係る電話機の固定方法を示す図である。
【図４】本発明の第１の実施形態に係る電話機の固定方法を示す図である。
【図５】本発明の第１の実施形態に係る電話機の外観を示す図である。
【図６】本発明の第１の実施形態に係るシートの外観を示す図である。
【図７】本発明の第２の実施形態に係る電話機の固定方法を示す図である
【図８】本発明の第３の実施形態に係るシートの外観を示す図である。
【発明を実施するための形態】
【００１７】
以下、本発明の固定装置に係る第１の実施形態について説明する。本発明は、壁面に設置して用いる設置物の固定に関するものであり、設置物の種類は問わない。設置物の例としては、電話機、スピーカー、インターホン、時計、警報器などの機器や、額縁、温度計などのような物品があげられる。以下の実施形態は電話機を例にとって説明するが、電話機に限定されるものではない。
【００１８】
図１は、本発明の実施形態に係る電話機１を正面から見た外観を示す図である。電話機１は、送受話器を載置するクレイドル２、呼び出し音や通話音を発音するスピーカー３、ダイヤルボタン等の操作ボタン４、電話番号等を表示する表示部５、を備える。これらは筐体６に収容されている。なお、図１では、送受話器は図示していない（以下同様）。
【００１９】
図２（ａ）は、本発明の実施形態に係る電話機１を側面から見た外観を示す図である。図２（ｂ）は、本発明の実施形態に係る電話機１を裏面から見た外観を示す図である。電話機１の筐体６の裏面の四隅には、脚部１０が配置されている。脚部１０は机上や壁面といった、電話機１を設置する場所に接する部分である。従って脚部１０は筐体６から突出して設置されている。なお脚部１０の個数や、配置される場所はこれに限るものではない。また脚部１０が配置されていない場合は、筐体６が設置する場所に接する。なお、脚部１０が配置されていない設置物に対しても、本発明を適用することは可能である。
【００２０】
固定具結合部１１は壁面に設置される固定具に結合し、電話機１を壁面に固定する。固定具結合具１１は、図２（ｂ）のように、本実施形態では筐体６に形成された円形の孔（第１の孔）と、円形の孔の一部から突出した半円形の孔（第２の孔）から形成される。第１の孔は、壁面に設置された固定具（本実施形態ではネジの頭部）より一回り大きく、固定具が入る様に形成されている。第２の孔は、固定具が挿入された筐体６を、壁面に対して平行に、図２（ｂ）の下方にスライドさせて、固定具（本実施形態ではネジの円筒部もしくは、ネジ山が切ってあるネジ部）を嵌め込み、筐体６を固定具に結合させるための部分である。第２の孔は固定具がネジの場合、ネジの頭部よりも若干小さい。
【００２１】
固定具結合具１１の第１の孔、及び第２の孔は、筐体６の表面を構成する部材を貫通する孔であっても良いし、貫通しない穴であってもよい。また、本明細書では、固定具結合部１１は、孔（又は穴）のみを指すのではなく、その周辺部の筐体６も含む概念である。また固定具結合部１１の近傍に後述するガイド１２が形成されている場合は、ガイド１２を含めても良い。
【００２２】
本実施形態では、図２（ｂ）の固定具結合部１１の形状は、上述のように壁面に固定具としてネジを固定し、ネジを嵌め込んで固定できる形状になっているが、本発明ではこの形状に限るものではない。固定具はネジの代わりに、例えば金具をネジ等で壁面に固定したものであっても良いし、特許文献１に記載されている樹脂製の固定具のような形状でもよい。即ち固定具結合部１１は、壁面に固定された任意の固定具に結合可能な形状であればよい。また、図２（ｂ）の電話機１は固定具結合部１１が２つ形成されているが、これに限るものではなく、１つでも、３つ以上でも良い。
【００２３】
ガイド１２は、壁面に設置された固定具（本実施形態ではネジ）を、電話機１の固定具結合部１１の第１の孔に嵌め込む作業を容易にするためのガイドの役割を果たす。ガイド１２は、筐体６より突出して設置されている。電話機１を壁面に対して平行に、図２（ｂ）の下方向にスライドさせると、ガイド１２により、壁面に設置されたネジの頭部が第１の孔に嵌まるように、誘導される。なおガイド１２は筐体６から突出しているが、脚部１０よりは凹んでいるため、電話機１を壁面に設置した場合、壁面には脚部１０のみが接触するようになっている。また、ガイド１２は無くても、本発明は実施可能である。
【００２４】
図３及び図４は、本発明の第１の実施形態の概念図である。筐体６は壁面２０に設置する電話機等の設置物を示す。設置物の筐体６の隅には、設置したときに壁面２０と接触する脚部１０が突出して形成されている。また筐体６には、固定具に結合させる固定具結合部１１が形成されている。固定具結合部１１は上述したように、固定具と結合する部分（本実施例では筐体６に形成された孔で、図３の点線の部分）と、その周辺を示す。なお、図２で説明したガイド１２は、省略している。
【００２５】
図３（ａ）では、筐体６の固定具結合部１１にシート１４が貼付されている。シート１４は弾力性のある材料を用いることが好ましい。例えばＥＶＡ（エチレン酢酸ビニル共重合体）や、ＰＵＲ（ポリウレタン）よる発泡プラスチックなどである。シート１４の裏面（設置物に対向する側）は粘着面となっている。また表面（壁面２０に対向する側）も粘着面となっている。表面と裏面とでは粘着力が異なっていて、シート１４の表面が強粘着面２３、裏面が弱粘着面２４である。
【００２６】
設置物を壁面に設置する際は、シート１４を設置物の固定具結合部１１に貼付する。シート１４の両方の粘着面には、予めそれぞれ保護フィルムが貼付してあり、弱粘着面２４側の保護フィルムを剥がして、シート１４を設置物の固定具結合部１１に貼付する。なお、保護フィルムは図示していない（以下同様）。
【００２７】
シート１４は、設置物に付属して同梱されていて、ユーザーが貼付しても良いし、初めから設置物の固定具結合部１１に貼付された状態であってもよい。
【００２８】
次にシート１４の表面（強粘着面２３）側の保護フィルムを剥離し、図３（ｂ）の様に設置物を壁面２０の所望の位置に押し当てる（押圧する）。この時、シート１４の強粘着面２３が壁面２０に接触するように、シート１４の膜厚は設定される。好ましい膜厚は、設置物の脚部１０の寸法などによるが、例えば２ｍｍ程度である。なお本実施例は、脚部１０の様に固定具結合部１１より突出している部分が存在している設置物を例にとって説明するが、脚部１０のように固定具結合部１１より突出している部分が無い場合でも、本発明は実施可能である。その場合は、シート１４の膜厚は実用上支障のない範囲で任意に設定可能である。
【００２９】
なお、設置物に貼付されたシート１４の強粘着面２３は、脚部１０等よりも壁２０側に突出していることが好ましいが、本発明の必須の条件ではなく、設置物を壁面１０に押し当てた時に、シート１４が壁面２０に貼着する厚さであればよい。例えば、強粘着面２３と脚部１０が同一平面に合っても、また強粘着面２３が少し凹んでいても、壁面２０が弾力性を有する材質等の場合、シート１４を壁面２０に貼着させることができる。
【００３０】
シート１４の粘着力は、強粘着面２３が弱粘着面２４より強くなるように構成されている。図４（ａ）の様に、設置物を壁面から引き剥がす（係脱する）と、シート１４の表面は強粘着面２３であり、その裏面は弱粘着面２４であるため、シート１４は壁面２０側に貼着した状態となり、設置物からは剥離される。
【００３１】
シート１４には孔２２が形成されている。孔２２は固定具２５を壁面２０に設置する場所を示すマーカーの役割を果たす。設置物を壁面から引き離したのちは、シート１４が壁面に貼着された状態となる。固定具２５（図４（ｂ）では例として木ネジを示す）は、孔２２に対応する壁面２０の位置に設置される。この後、シート１４を剥離し、固定具２５に設置物の固定具結合部１１を結合させ、設置物の壁面２０への設置を完了する。
【００３２】
図５に設置物を電話機１とした場合の例を示す。シート１４はドーナッツ状の形状をしている。シート１４は電話機１に２か所設けられている固定具結合部１１に貼付されている。上述したように固定具結合部１１は固定具と結合する孔の部分だけではなく、その周辺部やガイド１２も含む概念である。なお、本実施例では、シート１４が直接添付されているのは固定具結合部１１を構成するガイド１２である。
【００３３】
図６はシート１４の形状の例である。図６（ａ）は図５で示したドーナッツ状の形状をしたシート１４である。シート１４の中央部に形成された孔２２が、固定具２５を壁面２０に設置する場所を示すマーカーの役割を果たしている。シート１４の外形や孔２２の形状が円形である必要がないことは言うまでもない。
【００３４】
図６（ｂ）は固定具結合部１１が２つある場合に、１枚のシート１４で本発明を実施できる例である。固定具結合部１１が複数ある場合でも、複数の固定具２５の相対的な位置を正確に決定することができる。そのため、複数の固定具２５の設置位置が相対的にばらつくことによる、取り付けのがたつきを防止することができる。
【００３５】
図６（ｃ）はシート１４に孔２２が形成されていない例である。シート１４には、孔２２の代わりにマーカー３０が形成されている。固定具２５の設置位置はこのマーカーによって決定する。マーカー３０の中心部に直接木ネジを止めても良いし、錐等のとがった工具をもちいて、マーカー３０に合わせて壁面に印をつけ、その後シート１４を取り去って固定具２５を設置しても良い。マーカー３０はシート１４の弱粘着面２４側に形成しても良いし、シート１４が透光性の材料の場合は、強粘着面２３側に形成しても良いし、シート１４の内部に形成しても良い。
【００３６】
粘着面の形成は公知の粘着材料を用いればよい。強粘着面２３側は、壁面２０の材料としてよく用いられる、木材、壁紙、コンクリート等に粘着しやすい材料が選択され、弱粘着面２４は設置物の筐体６の材料（例えばＡＢＳ樹脂等）に粘着しやすい材料が選択される。また、強粘着面２３と壁面２０との間の粘着力が、弱粘着面２４と筐体６との間の粘着力よりも強くなる様に設定される。そのためには、強粘着面２３と弱粘着面２４とで、粘着材料の種類を異ならせても良いし、同じ粘着剤を用いて濃度を調節しても良い。
【００３７】
また設置する壁面２０の材質がいろいろと想定される場合は、木材用、壁紙用、コンクリート用など、粘着材料を異なるシート１４を用意して、設置物に付属させても良い。
【００３８】
なお、粘着剤は容易に剥がれるように粘着力が調節されることが好ましい。図４（ａ）のように、設置物を壁面２０から引き剥がす際に、弱粘着面２４が設置物の筐体６から容易に剥がれるように調節される。図４（ｂ）の様に固定具２５を壁面に設置した後、シート１４は不要になる。そのため、壁面２０からユーザーが容易に剥がすことができる粘着力になるよう調整される。なお、シート１４が弾力性を有している場合等では、壁面２０に貼着したまま、設置物を設置することも可能である。
【００３９】
上述の様に、本発明を実施することにより、設置物をユーザーが所望の位置に設置することが容易に、かつ確実に可能となる。そのため、固定具２５の設置をやり直す可能性が低く抑えられるため、壁面２０に不要な傷を作ってしまうことが低減できる。
【００４０】
先行技術１とは異なり、ユーザーは設置物の現物を壁面２０の所望の位置に押し当てることによって、固定具２５を取り付ける場所を決定することができる。シート１４の大きさは設置物の大きさには依存せず、固定具結合部１１の形状と大きさによって決定されるので、大きな設置物、例えば壁面スピーカーなどの場合でも、シート１４を大きくする必要がなく、コストは抑えられる。また設置した後に発生するゴミ（剥離したシート１４、及びその保護フィルム）も少なくて済む。
【００４１】
また特許文献１は、シートの取付孔に固定具としてネジを嵌め込むことは困難であるが、本発明は固定具２５がネジでも容易に実施できる。ネジは安価であるため、電話機の様に比較的軽量な設置物の場合、固定具２５に用いられることが多い。本発明は固定具２５にネジを用いる場合も好適である。またネジ以外の形状の固定具２５であっても、容易に対応することができる。
【００４２】
以下、図７を参照して本発明の固定装置に係る第２の実施形態について説明する。固定具結合部１１及び、シート１４の形状は、第１の実施形態と同等として説明するが、これに限るものではない。図７の固定具２５と固定具結合部１１の位置関係は、固定具２５をネジとして、固定具２５に固定具結合部１１を結合させた状態に相当する。従って、図７の固定具２５はネジの頭部ではなく、円筒部もしくはネジ山が切ってあるネジ部である。固定具２５の設置位置を示すマーカーである孔２２の径は、ネジの円筒部もしくはネジ山が切ってあるネジ部の外形より若干遊びを設け、大きく形成する場合が多い。この遊びは固定具２５を壁面２０にスムーズに設置するためである。
【００４３】
しかし、シート１４を設置物の固定具結合部１１に貼付する際、固定具結合部１１の孔の縁の部分（例えば図７（ａ）に点線で示す）に、孔２２の縁を合わせて貼付してしまうと、遊びの分だけ本来設置される位置からずれて、シート１４が壁面２０に貼着されてしまう。
【００４４】
そこで、図７（ａ）の様に、シート１４にマーカー３０を設けるとよい。マーカー３０は、孔２２の径の遊びを考慮して設けられている。マーカー３０を固定具結合部１１の孔の縁の部分（図７（ａ）に点線で示す部分）に合わせて、シート１４を固定具結合部１１に貼付することによって、正確に固定具２５の壁面２０への設置位置を決定することができる。
【００４５】
図７（ａ）のマーカー３０は、図７（ｂ）の様に設置物の筐体６に設けても良い。筐体６のマーカー３１にシート１４を合わせることにより、孔２２の径の遊びを考慮して、正確に固定具２５の壁面２０への設置位置を決定することができる。なお、上述のマーカー３０、及びマーカー３１の形状は一例であり、適宜変更することができる。
【００４６】
以下、図８を参照して本発明の固定装置に係る第３の実施形態について説明する。シート１４は上述したように、表面に強粘着面２３、裏面に弱粘着面２４を有している。１枚のシートの表面と裏面とに、特性の異なる粘着材料を塗布することにより、実施することが可能であるが、より安価に実現するには、以下の様に２枚のシートを貼りあわせることによって形成することもできる。
【００４７】
図８（ａ）は、強粘着面２３を有する第１のシート４１と、弱粘着面２４を有する第２のシート４２とを、接着面２０を介して貼りあわせた側面図である。片面にのみ粘着力を有するシートは多く流通しており、粘着力の異なるシートの入手も容易である。異なる粘着力を有するシートを貼りあわせることによって、低コストに本発明のシート１４を作ることが可能となる。なおマーカー３０を形成する場合は、粘着面とは反対側の面に形成しても良いし、粘着面に形成してもよい。
【００４８】
図８（ｂ）は、同じ粘着力のシートを２枚貼りあわせて、本発明のシート１４を作る方法を示す。第１のシート４１と第２のシート４２の粘着面は、いずれも強粘着面２３である。第１のシート４１と第２のシート４２を、接着面４０を介して貼りあわせる。そして第２のシートの強粘着面３２に粘着面積制限膜４３を貼付する。粘着面積制限膜４３は、例えば細かい穴が多数形成された薄いフィルムである。第２のシート４２の強粘着面２３の粘着材料が露出している面積が減り、粘着力が弱まるので、本発明のシート１４として用いることができる。
【００４９】
また、図８（ｂ）の第１のシート４１と第２のシート４２を、両面に同じ粘着力の粘着面を有する１枚のシートを用い、その片面に粘着面積制限膜４３を設けても同様の効果がある。
【００５０】
このように第３の実施形態により、本発明に用いるシート１４をより安価に製造することが可能となる。
【００５１】
以上の様に、本発明によれば、壁面に設置する電話機等の設置物を、容易にかつ低コストで、ユーザーの所望の位置に固定することが可能になる。また設置後にユーザーにとって違和感が生じることが少なくすることが可能になる。
【００５２】
なお本発明は、上述した実施形態に限られるものではなく、特許請求の範囲及び明細書全体から読み取れる発明の要旨或いは思想に反しない範囲で適宜変更可能であり、そのような変更を伴う固定装置もまた本発明の技術的範囲に含まれる。
【産業上の利用可能性】
【００５３】
本発明は、壁面に設置物を設置する固定装置、及びシートに好適に採用され得る。
【符号の説明】
【００５４】
１…電話機、２…クレイドル、３…スピーカー、４…操作ボタン、５…表示部、６…筐体、１０…脚部、１１…固定具結合部、１２…ガイド、１３…モジュラージャック、１４…シート、２０…壁面、２２…孔、２３…強粘着面、２４…弱粘着面、２５…固定具、３０…マーカー、３１…マーカー、４０…接着面、４１…第１のシート、４２…第２のシート、４３…粘着面積制限膜
【図１】
2018119615.tif 000003
【図２】
2018119615.tif 000004
【図３】
2018119615.tif 000005
【図４】
2018119615.tif 000006
【図５】
2018119615.tif 000007
【図６】
2018119615.tif 000008
【図７】
2018119615.tif 000009
【図８】
2018119615.tif 000010